(57)【特許請求の範囲】
【請求項１】
ＩＣチップを内蔵した情報処理端末であって、前記ＩＣチップは、外部のリーダ／ライタと接続する非接触インターフェースと、１以上の価値情報を保存するメモリと、前記情報処理端末と接続するための外部インターフェースを備え、前記ＩＣチップ内の各価値情報はそれぞれ暗証番号の照合によってアクセス権が与えられ、前記情報処理端末は、
画面表示を行う表示部と、
ユーザからの入力データを受容するユーザ入力部と、
前記ＩＣチップに保持されている価値情報毎の少なくともロゴ又は問合せ先を含む所定事項に関する表示情報及び暗証番号を価値情報と対応付けて保持するリスト・ファイルを格納する情報格納部と、
前記外部インターフェース経由で前記ＩＣチップと接続し、該端末の動作を統括的にコントロールする制御部を備え、
前記制御部は、前記ＩＣチップ内のいずれかの価値情報についての少なくともロゴ又は問合せ先を含む所定事項を画面表示するためのオフライン・ビューワを起動したときに、当該オフライン・ビューワに関連付けられている暗証番号を前記情報格納部のリスト・ファイルから取り出し、又は、前記ユーザ入力部から暗証番号を入力して、該暗証番号を前記外部インターフェース経由で前記ＩＣチップに受け渡し、前記ＩＣチップ側での暗証番号の照合処理に成功したことにより与えられる当該価値情報へのアクセス権を利用して前記ＩＣチップから該当する価値情報データを読み込むとともに、前記情報格納部のリスト・ファイルから当該価値情報に対応する表示情報を読み込み、該読み込んだデータを基に表示画面を生成して前記表示部上で画面表示させた後に、前記アクセス権を利用して前記ＩＣチップのメモリから価値情報を読み込んで価値情報の利用処理を行い、該価値情報の利用が終わったときには、処理後の画面を前記表示部に表示した後に、前記アクセス権を利用して前記ＩＣチップのメモリから当該価値情報を読み込んで利用処理が可能な利用可能状態からアクセス権が与えられず前記ＩＣチップのメモリから当該価値情報を読み込むことのできない利用不可能状態に戻す、
ことを特徴とする情報処理端末。
【請求項２】
ＩＣチップを内蔵した情報処理端末であって、前記ＩＣチップは、外部のリーダ／ライタと接続する非接触インターフェースと、１以上の価値情報を保存するメモリと、前記情報処理端末と接続するための外部インターフェースを備え、前記ＩＣチップ内の各価値情報はそれぞれ暗証番号の照合によってアクセス権が与えられ、前記情報処理端末は、
画面表示を行う表示部と、
ユーザからの入力データを受容するユーザ入力部と、
前記ＩＣチップに保持されている価値情報毎の少なくともロゴ又は問合せ先を含む所定事項に関する表示情報及び暗証番号を価値情報と対応付けて保持するリスト・ファイルを格納する情報格納部と、
前記外部インターフェース経由で前記ＩＣチップと接続し、該端末の動作を統括的にコントロールする制御部を備え、
前記制御部は、前記ＩＣチップ内のいずれかの価値情報についての少なくともロゴ又は問合せ先を含む所定事項を画面表示するためのオフライン・ビューワを起動したときに、前記情報格納部のリスト・ファイルから当該価値情報に対応する表示情報を読み込み、該読み込んだデータを基に表示画面を生成して前記表示部上で画面表示させた後に、当該オフライン・ビューワに関連付けられている暗証番号を前記情報格納部のリスト・ファイルから取り出し、又は、前記ユーザ入力部から暗証番号を入力して、該暗証番号を前記外部インターフェース経由で前記ＩＣチップに受け渡し、前記ＩＣチップ側での暗証番号の照合処理に成功したことにより与えられる当該価値情報へのアクセス権を利用して前記ＩＣチップのメモリから該当する価値情報を読み込んで利用処理を行い、読み込んだ価値情報の利用処理を行い、該価値情報の利用が終わったときには、処理後の画面を前記表示部に表示した後に、前記アクセス権を利用して前記ＩＣチップのメモリから当該価値情報を読み込んで利用処理が可能な利用可能状態からアクセス権が与えられず前記ＩＣチップのメモリから当該価値情報を読み込むことのできない利用不可能状態に戻す、
ことを特徴とする情報処理端末。
【請求項３】
前記制御部は、前記の価値情報に関する表示情報を表示した画面を介して該当する価値情報の利用意思確認をユーザに促す、
ことを特徴とする請求項１又は２のいずれかに記載の情報処理端末。
【請求項４】
ＩＣチップを内蔵するとともに表示部と、情報格納部と、外部インターフェース経由で前記ＩＣチップに接続される制御部を備えた情報処理端末の制御方法であって、前記ＩＣチップは、外部のリーダ／ライタと接続する非接触インターフェースと、１以上の価値情報を保存するメモリと、前記情報処理端末と接続するための外部インターフェースを備え、前記ＩＣ内の各価値情報はそれぞれ暗証番号の照合によってアクセス権が与えられ、前記制御部が、
前記ＩＣチップに保持されている価値情報毎の少なくともロゴ又は問合せ先を含む所定事項に関する表示情報及び暗証番号を価値情報と対応付けて保持するリスト・ファイルを前記情報格納部に格納する情報格納ステップと、
前記ＩＣチップ内のいずれかの価値情報についての価値情報の少なくともロゴ又は問合せ先を含む所定事項を画面表示するためのオフライン・ビューワを起動したことに応答して、当該オフライン・ビューワに関連付けられている暗証番号を前記情報格納部のリスト・ファイルから取り出し、又は、前記ユーザ入力部から暗証番号を入力して、該暗証番号を前記外部インターフェース経由で前記ＩＣチップに受け渡し、前記ＩＣチップ側での暗証番号の照合処理に成功したことにより与えられる当該価値情報へのアクセス権を利用して前記ＩＣチップから該当する価値情報データを読み込むとともに、前記情報格納部のリスト・ファイルから当該価値情報に対応する表示情報を読み込み、該読み込んだデータを基に表示画面を生成して前記表示部上で画面表示させる画面表示ステップと、
前記画面表示ステップを行った後に、前記アクセス権を利用して、前記ＩＣチップのメモリから価値情報を読み込んで価値情報の利用処理を行う利用処理ステップと、
該価値情報の利用が終わったときに、処理後の画面を表示する利用後処理ステップと、
前記の利用後処理ステップの後に、前記アクセス権を利用して前記ＩＣチップのメモリから当該価値情報を読み込んで利用処理が可能な利用可能状態からアクセス権が与えられず前記ＩＣチップのメモリから当該価値情報を読み込むことのできない利用不可能状態に戻す終了処理ステップと、
実行することを特徴とする情報処理端末の制御方法。
【請求項５】
ＩＣチップを内蔵するとともに表示部と、情報格納部と、外部インターフェース経由で前記ＩＣチップに接続される制御部を備えた情報処理端末の制御方法であって、前記ＩＣチップは、外部のリーダ／ライタと接続する非接触インターフェースと、１以上の価値情報を保存するメモリと、前記情報処理端末と接続するための外部インターフェースを備え、前記ＩＣ内の各価値情報はそれぞれ暗証番号の照合によってアクセス権が与えられ、前記制御部が、
前記ＩＣチップに保持されている価値情報毎の少なくともロゴ又は問合せ先を含む所定事項に関する表示情報及び暗証番号を価値情報と対応付けて保持するリスト・ファイルを前記情報格納部に格納する情報格納ステップと、
前記ＩＣチップ内のいずれかの価値情報についての少なくともロゴ又は問合せ先を含む所定事項を画面表示するためのオフライン・ビューワを起動したことに応答して、前記情報格納部のリスト・ファイルから当該価値情報に対応する表示情報を読み込み、該読み込んだデータを基に表示画面を生成して前記表示部上で画面表示させるステップと、
該画面表示を行った後に、当該オフライン・ビューワに関連付けられている暗証番号を前記情報格納部のリスト・ファイルから取り出し、又は、前記ユーザ入力部から暗証番号を入力して、該暗証番号を前記外部インターフェース経由で前記ＩＣチップに受け渡す照合処理ステップと、
前記ＩＣチップ側での暗証番号の照合処理に成功したことにより与えられる当該価値情報へのアクセス権を利用して前記ＩＣチップのメモリから該当する価値情報を読み込んで利用処理を行う利用処理ステップと、
該価値情報の利用が終わったときに、処理後の画面を表示する利用後処理ステップと、
前記の利用後処理ステップの後に、前記アクセス権を利用して前記ＩＣチップのメモリから当該価値情報を読み込んで利用処理が可能な利用可能状態からアクセス権が与えられず前記ＩＣチップのメモリから当該価値情報を読み込むことのできない利用不可能状態に戻す終了処理ステップと、
実行することを特徴とする情報処理端末の制御方法。
【請求項６】
前記の価値情報に関する表示情報を表示した画面を介して該当する価値情報の利用意思確認をユーザに促す利用意思確認ステップをさらに備える、
ことを特徴とする請求項４又は５のいずれかに記載の情報処理端末の制御方法。
【発明の詳細な説明】
【０００１】
【発明の属する技術分野】
本発明は、データを保持するメモリ機能を備えるとともに非接触によりメモリへの読み書きが可能な非接触ＩＣカード又はＩＣチップに係り、特に、無線データにより外部のリーダ／ライタからメモリ機能へのアクセスを行うための無線インターフェースを備えるとともに、外部機器と接続するための有線インターフェースを備えた非接触ＩＣカード又はＩＣチップ、並びに、有線インターフェースを介してこの種のＩＣカード又はＩＣチップを搭載して用いられる携帯電話機やＰＤＡなどの情報処理端末に関する。
【０００２】
更に詳しくは、本発明は、電子マネーや電子チケット、その他の価値情報を電子的に格納した非接触ＩＣカード又はＩＣチップ、並びに、有線インターフェースを介してこの種のＩＣカード又はＩＣチップを搭載して用いられる情報処理端末に係り、特に、前払式証票などの１以上の価値情報を電子的に格納してプリペイド・カードとして機能する非接触ＩＣカード又はＩＣチップ、並びに、有線インターフェースを介してこの種のＩＣカード又はＩＣチップを搭載して用いられる情報処理端末に関する。
【０００３】
【従来の技術】
従来から、本人確認や認証処理のために暗証番号やパスワードを用いたさまざまな装置が考案され、実用に供されている。例えば、銀行やその他の金融機関において、キャッシュ・カードやクレジット・カードを使用する際には、キャッシュ・ディスペンサやその他の金融端末上で、本人認証の手段として、暗証番号やパスワードの入力を使用者に対して促し、使用者から正しい暗証番号やパスワードが入力されたことを確認してから、キャッシュ・ディスペンサなどから出金動作を行なうようになっている。
【０００４】
１枚のキャッシュ・カード上に配設されている磁気ストライプなどの記憶媒体の中には、その銀行に対してのみ使用可能な記憶領域しか設けられていない。したがって、上述したような暗証番号あるいはパスワードの入力は、この単一の記憶領域へのアクセスに過ぎないので、偽造や盗用に対する保護は充分とは言い難い。
【０００５】
このため、偽造防止などの観点から、キャッシュ・カードやクレジット・カードなどに電気的な接点を持った接触式ＩＣカードや、無線データを介して非接触でデータの読み書きを行う非接触ＩＣカードがよく使われるようになってきている。例えばキャッシュ・ディスペンサやコンサート会場の出入口、駅の改札口などに設置されたＩＣカード・リーダ／ライタは、利用者がかざしたＩＣカードに非接触でアクセスすることができる。
【０００６】
利用者が暗証番号をＩＣカード・リーダ側に入力して、入力された暗証番号をＩＣカード上に格納された暗証番号と照合することで、ＩＣカードとＩＣカード・リーダ／ライタ間で本人確認又は認証処理が行なわれる。そして、本人確認又は認証処理に成功した場合には、例えば、ＩＣカード内に保存されているアプリケーションの利用が可能となる。ここで、ＩＣカードが保持するアプリケーションとしては、例えば、電子マネーや電子チケットなどの価値情報を挙げることができる。また、前払式証票を電子的に格納することによって、ＩＣカードやこれに接続される携帯端末をプリペイド・カードとして使用することも可能である。（ＩＣカード・アクセス時に使用する暗証番号のことを、特にＰＩＮ（Personal Identification Number）と呼ぶ。）
【０００７】
最近では、微細化技術の向上とも相俟って、比較的大容量の記憶空間を持つＩＣカードが出現し、普及してきている。従来のキャッシュ・カードなどにおいては単一の記憶領域すなわち単一のアプリケーションしか担持しないので、各用途又は目的毎に応じた複数のカードを持ち歩く必要がある。これに対して、このような大容量メモリ付きのＩＣカードによれば、複数のアプリケーションを同時に格納しておくことができるので、１枚のＩＣカードを複数の用途に利用することができる。例えば、１枚のＩＣカード上に、電子決済を行なうための電子マネーや、特定のコンサート会場に入場するための電子チケット、デジタル化された前払式証票など、２以上のアプリケーションを格納しておき、１枚のＩＣカードをさまざまな用途に適用させることができる。
【０００８】
さらに、ＩＣカードがカード用リーダ／ライタ（カード読み書き装置）との非接触インターフェースの他に、外部機器と接続するための有線インターフェースを備えることにより、ＩＣカードを携帯電話機、ＰＤＡ（Personal Digital Assistant）に接続したり内蔵して用いることができる（但し、端末に内蔵される多くの場合、ＩＣカードはワンチップ化して構成される。以下では、ＩＣカード及びＩＣチップを総称して単に「ＩＣカード」と呼ぶことにする）。
【０００９】
このような場合、ＩＣカードを利用したさまざまなアプリケーション・サービスを、情報処理端末上で実行することができる。例えば、情報処理端末上のキーボードやディスプレイなどのユーザ・インターフェースを用いてＩＣカードに対するユーザインタラクションを情報処理端末上で行うことができる。また、ＩＣカードが携帯電話機と接続されていることにより、ＩＣカード上に記憶された内容を電話網を介してやり取りすることもできる。
【００１０】
勿論、ＩＣカード上に電子マネーや電子チケット、前払式証票などの価値情報を格納している場合には、情報処理端末は、電子決済、プリペイド・カード様式の決済などの価値情報の処理や、その他のさまざまなサービスを実現することができる。さらに、ＩＣカードとカード読み書き装置間のデータ転送のフェーズに応じた処理や、ＩＣカードの内部状態に応じた処理を提供することができる。
【００１１】
ところで、プリペイド・カードなどの前払式証票に関しては、その発行などの業務の適正な運営を確保して、前払式証票の購入者らの利益保護と前払式証票の信用維持を図ることを主な目的として、前払式証票の発行者に対して登録やその他の必要な規制を行うための「前払式証票の規制等に関する法律」（通称、「プリカ法」）が制定されている。
【００１２】
このプリカ法では、利用者の便宜や流通秩序維持などの目的で、ロゴや問い合わせ先などの所定事項をプリペイド・カード上（券面）に表示することを義務付けている（同法第１２条を参照のこと）。
【００１３】
プリペイド・カードが印刷媒体で構成される場合、これら必要な情報を媒体上に印刷しておくことにより、同法を適正に履行することができる。また、印刷媒体のプリペイド・カードは、通常、単一の機能しか備えておらず（すなわち、機能毎に１枚ずつカードが用意される）、このような情報を印刷しても他の印刷情報を阻害したりすることはなく、技術上の問題はない。
【００１４】
これに対し、ＩＣカードのメモリ機能に前払情報を格納することによってプリペイド・カードを実現するような場合には、単一のＩＣカードが複数のプリペイド・カード機能を備えていたり、また、動的にプリペイド・カード機能を導入することができるので、カード上に印刷表示することは困難である。
【００１５】
さらに、ＩＣカードをチップ化して、外部有線インターフェース経由で携帯端末に接続している場合のように、組み込み型のＩＣカードの場合には、そもそも印刷することは困難である。
【００１６】
【発明が解決しようとする課題】
本発明の目的は、無線データにより外部のリーダ／ライタからメモリ機能へのアクセスを行うための無線インターフェースを備えるとともに、外部機器と接続するための有線インターフェースを備えた優れた非接触ＩＣカード又はＩＣチップ、並びに、有線インターフェースを介してこの種のＩＣカード又はＩＣチップを搭載して用いられる携帯電話機やＰＤＡなどの優れた情報処理端末を提供することにある。
【００１７】
本発明の更なる目的は、電子マネーや電子チケット、その他の価値情報を電子的に格納した優れた非接触ＩＣカード又はＩＣチップ、並びに、有線インターフェースを介してこの種のＩＣカード又はＩＣチップを搭載して用いられる優れた情報処理端末を提供することにある。
【００１８】
本発明の更なる目的は、前払式証票などの１以上の価値情報を電子的に格納してプリペイド・カードとして機能する優れた非接触ＩＣカード又はＩＣチップ、並びに、有線インターフェースを介してこの種のＩＣカード又はＩＣチップを搭載して用いられる優れた情報処理端末を提供することにある。
【００１９】
本発明の更なる目的は、前払式証票などの１以上の価値情報を電子的に格納してプリペイド・カードとして用いられる際に、プリカ法によって表示が義務付けられた情報やその他の事項を好適に表示することができる、優れた非接触ＩＣカード又はＩＣチップ、並びに、有線インターフェースを介してこの種のＩＣカード又はＩＣチップを搭載して用いられる優れた情報処理端末を提供することにある。
【００２０】
【課題を解決するための手段及び作用】
本発明は、上記課題を参酌してなされたものであり、その第１の側面は、１以上の価値情報を保持するＩＣチップを装備した情報処理端末であって、
前記ＩＣチップを接続する外部インターフェースと、
画面表示を行う表示部と、
ユーザからの入力データを受容するユーザ入力部と、
前記ＩＣチップに保持される各価値情報に関連する所定の表示情報を格納する情報格納部と、
該端末の動作を統括的にコントロールする制御部とを備え、
前記制御部は、前記ＩＣチップ内の価値情報の利用に際して、関連する表示情報を前記情報格納部から取り出して前記表示部上で画面表示させる、
ことを特徴とする情報処理端末である。
【００２１】
また、本発明の第２の側面は、１以上の価値情報を保持するＩＣチップを装備した情報処理端末の制御方法であって、
前記ＩＣチップ内の価値情報の利用に際して、関連する表示情報を画面表示させる、
ことを特徴とする情報処理端末の制御方法である。
【００２２】
ここで言う価値情報に関連する表示情報は該価値情報のロゴや問合せ先を含む。プリカ法では、利用者の便宜や流通秩序維持などの目的で、ロゴや問い合わせ先などの所定事項を表示することを義務付けられているからである。
【００２３】
一般に、ＩＣチップに保持された価値情報は暗証番号の照合により利用可能となる。
【００２４】
本発明の第１又は第２の側面に係る情報処理端末又はその制御方法は、暗証番号の照合に成功したことに応答して、関連する表示情報を前記表示部上で画面表示させるようにしてもよい。あるいは、利用を希望する価値情報に関連する表示情報を前記表示部上で画面表示させた後で暗証番号の照合を行うようにしてもよい。
【００２５】
このような場合、ＩＣチップに保持された価値情報を利用する際には、必ず、所定の事項が画面に表示されてから利用が行われることになる。したがって、ロゴや問い合わせ先などの所定事項を表示することを義務付けるプリカ法の目的に適うことができる。
【００２６】
また、本発明の第１又は第２の側面に係る情報処理端末又はその制御方法は、関連する表示情報を表示した画面を介して該当する価値情報の利用意思確認をユーザに促すようにしてもよい。
【００２７】
本発明のさらに他の目的、特徴や利点は、後述する本発明の実施形態や添付する図面に基づくより詳細な説明によって明らかになるであろう。
【００２８】
【発明の実施の形態】
以下、図面を参照しながら本発明の実施形態について詳解する。
【００２９】
本発明は、電子マネーや電子チケットなどの価値情報を格納したＩＣカードやＩＣチップの利用に関するものであり、より具体的には、ＩＣチップとして携帯電話機やＰＤＡ（Ｐｅｒｓｏｎａｌ  Ｄｉｇｉｔａｌ  Ａｓｓｉｓｔａｎｔ）などに組み込んで電子マネーや電子チケットなどの価値情報を利用するシステムに関する。
【００３０】
ＩＣチップを内蔵した携帯端末をリーダ／ライタ（Ｒ／Ｗ）にかざすことによって、内蔵したＩＣチップとリーダ／ライタ間で非接触データ通信が行われる。この非接触データ通信において、ＩＣチップは、リーダ／ライタからの質問信号に対する応答信号に応じて自身のアンテナ間の負荷を変化させることによって、リーダ／ライタ側の受信回路に現れる信号に振幅変調をかけて通信を行うことができる。
【００３１】
本発明を実現した携帯端末は、ＩＣチップ上に記録された電子マネーや電子チケットなどの価値情報を利用するときには、その価値情報サービス提供者などに関する特定の情報をユーザに提示することができる。
【００３２】
図１には、本発明の１つの実施形態に係る携帯端末１１０の構成を模式的に示している。携帯端末１１０は、例えば携帯電話機やＰＤＡなどの情報端末に相当する。同図に示すように、携帯端末１１０にはＩＣチップ１００が内蔵されている。
【００３３】
同図に示すように、ＩＣチップ１００は、アンテナ部１０１と、アナログ部１０２と、ディジタル制御部１０３と、メモリ１０４と、外部インターフェース１０５とで構成されている。
【００３４】
アンテナ部１０１は、リーダ／ライタ２００との間で非接触データの送受信を行う。アナログ部１０２は、検波、変復調、クロック抽出など、アンテナ部１０１から送受信されるアナログ信号の処理を行う。ＩＣチップ１００は、リーダ／ライタ２００からの質問信号に対する応答信号に応じて自身のアンテナ間の負荷を変化させることによって、リーダ／ライタ側の受信回路に現れる信号に振幅変調をかけて通信を行うことができる。但し、非接触データ通信の方式自体は本発明の要旨に直接関連しないので、本明細書ではこれ以上説明しない。
【００３５】
ディジタル制御部１０３は、送受信データの処理やその他ＩＣカード内の動作を統括的にコントロールする。ディジタル制御部１０３は、アドレス可能なメモリ１０４をローカルに接続しており、電子マネーや電子チケットなどのアプリケーションを格納したり、ディジタル制御部１０３が実行するプログラム・コードをロードしたり、実行中の作業データを保存するために使用することができる。
【００３６】
ＩＣチップ１００のメモリ１０４には、さまざまなアプリケーションが格納されている。アプリケーションとしては、例えば、電子マネーや電子チケットなどの価値情報を挙げることができる。また、前払式証票を電子的に格納することによって、ＩＣカードをプリペイド・カードとして使用することも可能である。
【００３７】
図２には、メモリ１０４のメモリ領域の構成例を示している。同図に示す例では、電子マネー、電子チケット、ポイント・サービスなどのさまざまな価値情報がメモリ領域に格納されている。各価値情報は、ディジタル制御部１０３によってアドレス可能である。また、同図に示す例では、各価値情報には、暗証番号すなわちＰＩＮを保持する暗証番号領域が配設されており、価値情報の利用時には、暗証番号による照合に成功したときのみ価値情報へのアクセス（すなわち、電子マネーなどの利用）が許容される。
【００３８】
外部インターフェース１０５は、リーダ／ライタ２００を結ぶ非接触インターフェースとは相違するインターフェース・プロトコルにより、ディジタル制御部１０３が携帯端末１１０本体と接続するための機能モジュールである。メモリ１０４に書き込まれたデータは、外部インターフェース１０５を経由して、携帯端末１１０本体側に転送することができる。
【００３９】
本実施形態では、携帯端末１１０と内蔵ＩＣチップ１００を接続する外部インターフェース１０５には、ＵＡＲＴやＩ2Ｃのような有線インターフェースを使用する。但し、外部インターフェース１０５のインターフェース仕様は特に限定されず、他の有線インターフェースであっても、あるいはＢｌｕｅｔｏｏｔｈやＩＥＥＥ．８０２．１１ｂなどの無線インターフェースであってもよい。
【００４０】
ＩＣチップ１００は、例えば、アンテナ部１０１経由で受信されるカード読み書き装置からの受信電波によって駆動することができる。勿論、携帯端末１１０側からの供給電力によって、一部又は全部が動作するように構成されていてもよい。
【００４１】
携帯端末１１０本体は、例えば携帯電話機やＰＤＡ（Personal Digital Assistant）などの情報処理端末に相当する。携帯端末１１０本体は、プログラム制御部１１１と、表示部１１２と、ユーザ入力部１１３とで構成される。
【００４２】
プログラム制御部１１１は、例えばマイクロプロセッサと、ＲＡＭと、ＲＯＭで構成され（いずれも図示しない）、マイクロプロセッサは、ＲＯＭに格納されたプログラム・コードに従って、ＲＡＭを作業領域に用いてさまざまな処理サービスを実行する。処理サービスには、携帯電話機やＰＤＡなどの携帯端末１１０本来の機能の他に、ＩＣチップ１００に対する処理も含まれる（後述）。
【００４３】
プログラム制御部１１１は、外部インターフェース１０５経由で、ＩＣカード１００にアクセスすることができる。
【００４４】
また、プログラム制御部１１１には、情報格納部１１４が設けられている。情報格納部１１４は、例えばＥＥＰＲＯＭ（Electrically Erasable and Programmable ROM）のような書き込み可能なメモリ装置や、ハード・ディスクなどの外部記憶装置などで構成されている。
【００４５】
本実施形態では、情報格納部１１４には、ＩＣチップ１００上で使用される各価値情報に関するロゴや問い合わせ先などの所定事項がリスト・ファイルとして保持されている。
【００４６】
図３には、リスト・ファイルの構造を模式的に示している。同図に示すように、各価値情報毎にエントリが用意されており、各エントリは、価値情報名とその暗証番号、並びにロゴや問い合わせ先などの画面内容を対応付けて保持している。例えば、電子マネーであれば、残高及び問い合わせ先を画面内容に持つ。また、電子チケットであれば、チケット情報などを画面内容に持つ。また、ポイント・サービスであれば、現在のポイント情報などを画面内容に持つ。リスト・ファイルの内容は、例えば携帯端末１１０上でのユーザ・インタラクションによって追加・削除が行われる。
【００４７】
リスト・ファイルに格納されているこれらの情報は、プログラム制御部１１１によって適宜読み出され、表示部１１２上で画面表示される（後述）。
【００４８】
表示部１１２は、例えば液晶表示ディスプレイ（ＬＣＤ：liquid Crystal Display）で構成される。表示部１１２は、例えば、プログラム制御部１１１における処理結果などを画面出力してユーザに通知することができる。
【００４９】
ユーザ入力部１１３は、キーボードやジョグダイヤル、あるいは表示部１１２の表示画面に重畳されたタッチパネルなどで構成され、ユーザが携帯端末１１０にコマンドやデータを入力するために使用される。
【００５０】
携帯端末１１０内のプログラム制御部１１１は、バッテリなど図示しない主電源からの給電により駆動する。
【００５１】
ＩＣチップ１００を内蔵した携帯端末１１０をリーダ／ライタ（Ｒ／Ｗ）２００にかざすことによって、内蔵ＩＣチップ１００とリーダ／ライタ２００間で非接触データ通信が開始される。そして、ＰＩＮなどの暗証番号の照合を経て、ＩＣチップ１００内の電子チケットや電子マネーなどの価値情報へのアクセスが許可される。
【００５２】
他方、［従来の技術］の欄でも述べたように、プリカ法などの観点からは、利用者の便宜や流通秩序維持などの目的で、電子チケットや電子マネーなどの価値情報を利用する際には、そのロゴや問い合わせ先などの所定事項をユーザに提示することが望ましいと思料される。
【００５３】
本実施形態では、携帯端末１１０は、使用する価値情報に関するロゴや問い合わせ先などの所定事項を表示部１１２上で画面表示するための「オフライン・ビューワ」を備えている。オフライン・ビューワは、例えばプログラム制御部１１１において実行されるプログラム・コードという形態で実装される。
【００５４】
本実施形態では、ＩＣチップ１００内のメモリ・エリアに格納された各価値情報（図２を参照のこと）は、携帯端末１１０側の情報格納部１１４において図３に示すようなリスト・ファイルによって管理されている。リスト・ファイルは価値情報名とその暗証番号、並びにロゴや問い合わせ先などの画面内容を対応付けている。これによって、オフライン・ビューワと各価値情報の暗証番号が紐付けされており、オフライン・ビューワ起動時には携帯端末１１０側のユーザ入力部１１３上で入力された暗証番号が外部インターフェース１０５を介してＩＣチップ１００に暗証番号が自動入力される。言い換えれば、ＩＣチップ１００上の価値情報を利用する際には、その価値情報に関するロゴや問い合わせなどの所定事項がオフライン・ビューワにより画面表示され、オフライン・ビューワ上でユーザが暗証番号を入力して照合に成功することによって価値情報の利用が可能となる。
【００５５】
すなわち、本実施形態に係るＩＣチップ内蔵の携帯端末１１０によれば、価値情報の利用時にはそのロゴや問い合わせ先などの所定事項がユーザに適正に提示されるので、利用者の便宜や流通秩序の維持が担保される。
【００５６】
図４には、本実施形態に係る携帯端末１１０上でＩＣチップ１００内の価値情報を使用するための処理手順の一例をフローチャートの形式で示している。
【００５７】
まず、携帯端末１１０のメニュー一覧表示画面上で、ユーザが当該ビューワを選択したことなどに応答して、オフライン・ビューワが起動する（ステップＳ１）。
【００５８】
次いで、暗証番号の入力モードの現在の設定内容を判別する（ステップＳ２）。
【００５９】
暗証番号の入力モードが手動に設定されている場合には、ステップＳ３に進んで、表示部１１２上で暗証番号入力用の画面を表示して、ユーザはユーザ入力部１１３を介して暗証番号を入力する。
【００６０】
また、暗証番号の入力モードが自動に設定されている場合には、ステップＳ４に進んで、さらに、暗証番号情報の形式を判別する。本実施形態では、暗証番号情報の形式として、スクリプト埋め込みとリスト・ファイル形式の２種類を用意している。
【００６１】
スクリプト埋め込みである場合には、ステップＳ５に進んで、スクリプト処理、すなわち、スクリプト内の暗証番号を外部インターフェース１０５経由でＩＣチップ１００のディジタル制御部１０３に受け渡す。
【００６２】
また、リスト・ファイル形式の場合には、ステップＳ６に進んで、リスト・ファイルから当該ビューワに関連付けられている暗証番号を取り出して、外部インターフェース１０５経由でＩＣチップ１００のディジタル制御部１０３に受け渡す。
【００６３】
これに対し、ＩＣチップ１００のディジタル制御部１０３側では、携帯端末１１０本体から受け渡された暗証番号を基に、メモリ１０４の該当する価値情報の暗証番号との照合処理を行う（ステップＳ７）。
【００６４】
暗証番号の照合処理に失敗した場合には、その旨の値が外部インターフェース１０５経由で携帯端末１１０内のプログラム制御部１１１に返される。この場合、ステップＳ１３に進んで、暗証番号の再度入力をユーザに促す処理を行うか、又は、失敗した旨のメッセージを表示部１１２上で表示する。
【００６５】
他方、暗証番号の照合処理に成功した場合には、その旨の値が外部インターフェース１０５経由で携帯端末１１０内のプログラム制御部１１１に返される。この結果、メモリ１０４内の該当する価値情報へのアクセス権が与えられる。この場合、ステップＳ８に進んで、結果処理、すなわち、アクセス権を利用して、ＩＣチップ１００のメモリ１０４内の価値情報データを読み込む。これと併せて、プログラム制御部１１１は、情報格納部１１４内の該当する価値情報エントリからロゴなどの画面表示データを読み出す。
【００６６】
次いで、ステップＳ９では、前ステップＳ８において読み込んだデータを基に、表示画面を生成して、表示部１１２上で画面表示を行う。
【００６７】
図５には、電子マネーを利用する際の表示画面の構成例を示している。同図に示す例では、ロゴや残高情報、電子マネーの有効期限、問い合わせ先などの所定事項が表示されており、このような表示内容を基にユーザの便宜と流通秩序の維持が図られる。
【００６８】
また、図６には、電子チケットを利用する際の表示画面の構成例を示している。同図に示す例では、ロゴやチケット情報（開催日時や開催場所、チケットの種別やボリュームなど）、問い合わせ先などの所定事項が表示されており、このような表示内容を基にユーザの便宜と流通秩序の維持が図られる。
【００６９】
再び図４に戻って説明する。ステップＳ９における所定事項の表示の際に、利用意思確認処理を行うようにしてもよい。この場合、図５や図６に示す表示画面中に利用意思確認を表すボタン（又はリンク）並びにキャンセルするボタンを用意しておき、ユーザが利用意思確認ボタンを押下することにより処理が続行され、キャンセル・ボタンを押下することにより、終了処理へと向かう。
【００７０】
利用する価値情報に関する所定事項の画面表示後（又は、利用意思の確認後）、価値情報の利用処理（例えば、電子マネーによる決済や、電子チケットによる入場など）を行う（ステップＳ１０）。但し、価値情報の利用形態は本発明の要旨に直接関連しないので、本明細書ではこれ以上説明しない。
【００７１】
そして、価値情報の利用が終わると、プログラム制御部１１１は、利用後処理を行う（ステップＳ１１）。利用後処理では、例えば、ＩＣチップ１００内のデータを外部インターフェース１０５経由で読み込んで、処理後の画面を生成して、表示部１１２上で画面表示したりする。
【００７２】
そして、終了処理を経て（ステップＳ１２）、本処理ルーチン全体を終了する。終了処理では、ＩＣチップ１００における価値情報のアクセス権状態を、暗証番号照合による利用可能状態から、元の利用不可能状態に戻す。
【００７３】
また、図７には、本実施形態に係る携帯端末１１０上でＩＣチップ１００内の価値情報を使用するための処理手順についての他の例をフローチャートの形式で示している。
【００７４】
まず、携帯端末１１０のメニュー一覧表示画面上で、ユーザが当該ビューワを選択したことなどに応答して、該当する価値情報に関するオフライン・ビューワが起動する（ステップＳ２１）。
【００７５】
次いで、プログラム制御部１１１は、情報格納部１１４内の該当する価値情報エントリからロゴなどの画面表示データを読み込んで、読み込んだデータを基に表示画面を生成して、表示部１１２上で画面表示を行う（ステップＳ２２）。
【００７６】
このときの表示画面は、例えば図５並びに図６に示したようなものであり、使用する価値情報に関するロゴや問い合わせ先などの所定事項が含まれており、このような表示内容を基にユーザの便宜と流通秩序の維持が図られる（同上）。
【００７７】
次いで、ユーザに対して、利用意思確認処理を行う（ステップＳ２３）。この場合、図５や図６に示す表示画面中に利用意思確認を表すボタン（又はリンク）並びにキャンセルするボタンを用意しておき、ユーザが利用意思確認ボタンを押下することにより処理が続行され、キャンセル・ボタンを押下することにより、終了処理へと向かう。
【００７８】
続くステップＳ２４では、暗証番号の入力モードの現在の設定内容を判別する。
【００７９】
暗証番号の入力モードが手動に設定されている場合には、ステップＳ２５に進んで、表示部１１２上で暗証番号入力用の画面を表示して、ユーザはユーザ入力部１１３を介して暗証番号を入力する。
【００８０】
また、暗証番号の入力モードが自動に設定されている場合には、ステップＳ２６に進んで、さらに、暗証番号情報の形式を判別する。本実施形態では、暗証番号情報の形式として、スクリプト埋め込みとリスト・ファイル形式の２種類を用意している。
【００８１】
スクリプト埋め込みである場合には、ステップＳ２７に進んで、スクリプト処理、すなわち、スクリプト内の暗証番号を外部インターフェース１０５経由でＩＣチップ１００のディジタル制御部１０３に受け渡す。
【００８２】
また、リスト・ファイル形式の場合には、ステップＳ２８に進んで、リスト・ファイルから当該ビューワに関連付けられている暗証番号を取り出して、外部インターフェース１０５経由でＩＣチップ１００のディジタル制御部１０３に受け渡す。
【００８３】
これに対し、ＩＣチップ１００のディジタル制御部１０３側では、携帯端末１１０本体から受け渡された暗証番号を基に、メモリ１０４の該当する価値情報の暗証番号との照合処理を行う（ステップＳ２９）。
【００８４】
暗証番号の照合処理に失敗した場合には、その旨の値が外部インターフェース１０５経由で携帯端末１１０内のプログラム制御部１１１に返される。この場合、ステップＳ３４に進んで、暗証番号の再度入力をユーザに促す処理を行うか、又は、失敗した旨のメッセージを表示部１１２上で表示する。
【００８５】
他方、暗証番号の照合処理に成功した場合には、その旨の値が外部インターフェース１０５経由で携帯端末１１０内のプログラム制御部１１１に返される。この結果、メモリ１０４内の該当する価値情報へのアクセス権が与えられる。この場合、ステップＳ３０に進んで、結果処理、すなわち、アクセス権を利用して、ＩＣチップ１００のメモリ１０４内の価値情報データを読み込む。
【００８６】
次いで、価値情報の利用処理（例えば、電子マネーによる決済や、電子チケットによる入場など）を行う（ステップＳ３１）。但し、価値情報の利用形態は本発明の要旨に直接関連しないので、本明細書ではこれ以上説明しない。
【００８７】
そして、価値情報の利用が終わると、プログラム制御部１１１は、利用後処理を行う（ステップＳ３２）。利用後処理では、例えば、ＩＣチップ１００内のデータを外部インターフェース１０５経由で読み込んで、処理後の画面を生成して、表示部１１２上で画面表示したりする。
【００８８】
そして、終了処理を経て（ステップＳ３３）、本処理ルーチン全体を終了する。終了処理では、ＩＣチップ１００における価値情報のアクセス権状態を、暗証番号照合による利用可能状態から、元の利用不可能状態に戻す。
【００８９】
［追補］
以上、特定の実施形態を参照しながら、本発明について詳解してきた。しかしながら、本発明の要旨を逸脱しない範囲で当業者が該実施形態の修正や代用を成し得ることは自明である。すなわち、例示という形態で本発明を開示してきたのであり、本明細書の記載内容を限定的に解釈するべきではない。本発明の要旨を判断するためには、冒頭に記載した特許請求の範囲の欄を参酌すべきである。
【００９０】
【発明の効果】
以上詳記したように、本発明によれば、電子マネーや電子チケット、その他の価値情報を電子的に格納した優れた非接触ＩＣカード又はＩＣチップ、並びに、有線インターフェースを介してこの種のＩＣカード又はＩＣチップを搭載して用いられる優れた情報処理端末を提供することができる。
【００９１】
また、本発明によれば、前払式証票などの１以上の価値情報を電子的に格納してプリペイド・カードとして機能する優れた非接触ＩＣカード又はＩＣチップ、並びに、有線インターフェースを介してこの種のＩＣカード又はＩＣチップを搭載して用いられる優れた情報処理端末を提供することができる。
【００９２】
また、本発明によれば、ＩＣチップを内蔵した情報処理端末が前払式証票などの１以上の価値情報を電子的に格納してプリペイド・カードとして用いられる際に、プリカ法によって表示が義務付けられた情報やその他の事項を好適に表示することができる、優れた非接触ＩＣカード又はＩＣチップ、並びに、有線インターフェースを介してこの種のＩＣカード又はＩＣチップを搭載して用いられる優れた情報処理端末を提供することができる。
【００９３】
本発明によれば、メモリ機能を備えたＩＣチップは、カード読み書き装置と接続する非接触インターフェース以外に外部有線インターフェースを備え、外部有線インターフェース経由で接続される携帯端末に組み込まれる。そして、携帯端末を所持するユーザがＩＣチップ上の価値情報を利用するときには、その価値情報サービス提供者などに関する特定の情報をユーザに提示することができる。例えば、ＩＣチップに記録された電子マネーを利用する際には、携帯端末上で残高及び問い合わせ先を表示する。電子チケットを利用する際には、チケット情報を表示する。また、ポイント・サービスを利用する際には、現在のポイント情報などを表示する。
【図面の簡単な説明】
【図１】本発明の１つの実施形態に係る携帯端末１１０の構成を模式的に示した図である。
【図２】ＩＣチップ１００内のメモリ領域の構成を模式的に示した図である。
【図３】各価値情報に関するロゴや問い合わせ先などの所定事項を保持するリスト・ファイルの構造を模式的に示した図である。
【図４】本実施形態に係る携帯端末１１０上でＩＣチップ１００内の価値情報を使用するための処理手順の一例をフローチャートの形式で示した図である。
【図５】電子マネーを利用する際の表示画面の構成例を示した図である。
【図６】電子チケットを利用する際の表示画面の構成例を示した図である。
【図７】本実施形態に係る携帯端末１１０上でＩＣチップ１００内の価値情報を使用するための処理手順についての他の例をフローチャートの形式で示した図である。
【符号の説明】
１００…ＩＣチップ
１０１…アンテナ部
１０２…アナログ部
１０３…ディジタル制御部
１０４…メモリ
１０５…外部インターフェース
１１０…携帯端末
１１２…表示部
１１３…ユーザ入力部
１１４…情報格納部
２００…リーダ／ライタ
【図１】
0004178785.tif 000002
【図２】
0004178785.tif 000003
【図３】
0004178785.tif 000004
【図４】
0004178785.tif 000005
【図５】
0004178785.tif 000006
【図６】
0004178785.tif 000007
【図７】
0004178785.tif 000008